(57)【要約】【課題】構造用合板で水平面剛性を確保するものでありながら、使用する梁の背を低くすることができ、しかも、梁に対する構造用合板の接合も容易に行える、構造用合板を用いた高剛性床構造を提供する。【解決手段】構造用合板１の側縁部下面側に、木梁２と鋼梁３とを組み合わせて一体化した複合梁４が備えられ、構造用合板１が該複合梁４の木梁２に接合されており、また、隣り合う構造用合板１，１の隣り合う側縁部の下面側の複合梁４，４同士がボルト６で一体的に緊結されて大複合梁８を形成している。構造用合板１の側縁部下面側に複合梁４が備えられた床パネル８を用いて、現場での床の施工を行うとよい。【選択図】      図１
2006283421.tif 000002
【特許請求の範囲】
【請求項１】
構造用合板類の側縁部下面側に、木梁と鋼梁とを組み合わせて一体化した複合梁が備えられ、構造用合板類が該複合梁の木梁に接合されていることを特徴とする、構造用合板類を用いた高剛性床構造。
【請求項２】
隣り合う構造用合板類の隣り合う側縁部の下面側の複合梁同士がボルトで一体的に緊結されて、大複合梁を形成している請求項１に記載の、構造用合板類を用いた高剛性床構造。
【請求項３】
隣り合う構造用合板類の隣り合う複合梁の木梁の上面高さ位置が異ならされることで、隣り合う構造用合板類の上面高さ位置が異ならされている請求項２に記載の構造用合板類を用いた高剛性床構造。
【請求項４】
複合梁を構成する鋼梁の上面が木梁の上面よりも低位置に備えられ、構造用合板類の下面側に、鋼梁に支承させて取り付けられた、構造用合板類以外の鋼梁容易取付け性を備えた高剛性面材が備えられている請求項１乃至３のいずれか一に記載の、構造用合板類を用いた高剛性床構造。
【請求項５】
構造用合板類の側縁部下面側に、木梁と鋼梁とを組み合わせた複合梁が備えられ、構造用合板類が該複合梁の木梁に接合されている床パネルを用いて、現場での床の施工を行うことを特徴とする構造用合板類を用いた高剛性床の施工方法。
【発明の詳細な説明】
【技術分野】
【０００１】
本発明は、構造用合板類を用いた高剛性床構造に関する。
【背景技術】
【０００２】
戸建て住宅等に用いられる一般的な構造として軽量鉄骨構造と木構造があるが、軽量鉄骨構造における床の水平面剛性の確保の方法は、図４（イ−１）（イ−２）に示すように、矩形に組んだＨ形鋼梁５１…に水平ブレース５２，５２を取り付けるのが一般的であり、また、木構造では、図４（ロ−１）（ロ−２）に示すように、集成材等からなる大断面の木梁５３…の上に、厚さが例えば２４ｍｍ以上の構造用合板５４を載せて釘５５などで接合し、構造用合板５４によって床の水平面剛性を確保することが行われている。
【発明の開示】
【発明が解決しようとする課題】
【０００３】
しかしながら、水平ブレース５２による水平面剛性確保の方法では、水平ブレース５２の施工に手間を要すると共に、水平ブレース５２が、天井内の電気配線や、給排水設備配管、天井埋め込み式の照明機器やエアコンなどと干渉しやすいという問題がある。
【０００４】
この点、構造用合板５４を使用した構造では、根太無し、ブレース無しで、そのような問題がないが、その一方で、梁として背高な大断面梁５３を用いる必要があり、そのため、天井懐部が大きくなり、また、床のパネル化が難しく、構造用合板５４は、現場で大断面の木梁５３に釘５４等で接合しなければならず、現場での施工が非常に厄介であるという問題がある。
【０００５】
そこで、本発明者は、鋼梁に構造用合板を接合することによって、梁の背と断面を小さくし、構造用合板で水平面剛性を確保する方法を思いついた。ところが、構造用合板を鋼梁に直接接合する合理的方法が見当たらないという現実に直面した。
【０００６】
一方、建物のバリアフリー化や、局所的の防音室の設置などにおいて、床面の高さ位置を互いに異ならせる必要がある場合、従来は、軽量鉄骨構造では、図５（イ）に示すようにＨ形鋼梁５１のウェブに取り付けたアングル５６に床板５７を支承させたり、図５（ロ）に示すように、鋼梁５８の断面背を低くする方法が採られ、また、木構造では、図５（ハ）に示すように、構造用合板５４の上に例えばユニットバス６１を設置すると、その他の部分については、構造用合板５４の上に根太５９…と床板６０を設置して床面の高さ位置を高くすることが行われている。
【０００７】
しかしながら、アングル５６による方法は、アングル５６の取付けが厄介であると共に、梁に耐火被覆をする必要を生じ、また、梁５８の断面背を低くする方法では、構造強度を低下させてしまうため設計上の制約が多くなり、構造用合板５４の上に更に根太５９…と床板６０を設置する方法では、施工が厄介であるという問題がある。
【０００８】
本発明は、上記のような問題点に鑑み、構造用合板類で水平面剛性を確保するものでありながら、使用する梁の背を低くすることができ、しかも、梁に対する構造用合板類の接合も容易に行える、構造用合板類を用いた高剛性床構造を提供することを課題とする。
【０００９】
また、本発明は、床面の高さ位置を互いに異ならせたものにすることを、構造強度を低下させることなく、施工容易に実現することができる、構造用合板類を用いた高剛性床構造を提供することを課題とする。
【課題を解決するための手段】
【００１０】
上記の課題は、構造用合板類の側縁部下面側に、木梁と鋼梁とを組み合わせて一体化した複合梁が備えられ、構造用合板類が該複合梁の木梁に接合されていることを特徴とする、構造用合板類を用いた高剛性床構造によって解決される（第１発明）。
【００１１】
この構造では、構造用合板類で水平面剛性を確保することができ、しかも、梁として、木梁と鋼梁とを組み合わせて一体化した複合梁が用いられているので、鋼梁の使用により梁に充分な構造強度をもたせながら梁背を低くすることができる。加えて、梁は、木梁と鋼梁との複合梁からなって、構造用合板類は該複合梁の木梁に接合されているので、梁に対する構造用合板類の接合も容易に行うことができる。
【００１２】
また、第１発明において、隣り合う構造用合板類の隣り合う側縁部の下面側の複合梁同士がボルトで一体的に緊結されて、大複合梁を形成しているとよい（第２発明）。この場合は、大複合梁が形成されることで、梁背を非常に低いものにすることができ、構造用合板類を用いた床構造でありながら、梁のスパンを長くする場合であっても、天井懐部を小さいものにすることができる。
【００１３】
そして、第２発明において、隣り合う構造用合板類の隣り合う複合梁の木梁の上面高さ位置が異ならされることで、隣り合う構造用合板類の上面高さ位置が異ならされている場合（第３発明）は、大複合梁内において木梁の上面高さ位置が互いに異ならされていても、大複合梁全体としての構造強度が低下することはなく、また、大複合梁における木梁の上面高さ位置を異ならせるだけで、隣り合う構造用合板類の上面高さ位置を異ならせることができて、床面の高さ位置を互いに異ならせたものにすることを、構造強度を低下させることなく、施工容易に実現することができる。
【００１４】
また、第１乃至第３のいずれか一に発明において、複合梁を構成する鋼梁の上面が木梁の上面よりも低位置に備えられ、構造用合板類の下面側に、鋼梁に支承させて取り付けられた、構造用合板類以外の鋼梁容易取付け性を備えた高剛性面材が備えられているとよい（第４発明）。この場合は、構造用合板類と高剛性面材とにより、ＡＬＣ板やＰＣ板等の重量面材に頼らずに、高い床衝撃音遮断性能を確保することが可能になり、しかも、床レベルが高くなることもなく、加えて、高剛性面材と複合梁の鋼梁との接合も容易に行うことができる。
【００１５】
また、本発明は、構造用合板類の側縁部下面側に、木梁と鋼梁とを組み合わせた複合梁が備えられ、構造用合板類が該複合梁の木梁に接合されている床パネルを用いて、現場での床の施工を行うことを特徴とする構造用合板類を用いた高剛性床の施工方法を含む（第５発明）。
【００１６】
この施工方法は、構造用合板類のパネル化を行ったもので、複合梁の採用により、梁背を低くすることができ、それにより、梁を工場などで予め構造用合板類に取り付けてパネル化することが可能となり、構造用合板類と木梁の接合を工場で行うことができて、現場での施工を省力化することができる。
【発明の効果】
【００１７】
本発明は、以上のとおりのものであるから、構造用合板類で水平面剛性を確保するものでありながら、使用する梁の背を低くすることができ、しかも、梁に対する構造用合板類の接合も容易に行うことができる。
【００１８】
また、床面の高さ位置を互いに異ならせたものにすることを、構造強度を低下させることなく、施工容易に実現することができる。
【発明を実施するための最良の形態】
【００１９】
次に、本発明の実施最良形態を図面に基づいて説明する。
【００２０】
図１（イ）に示す第１実施形態の高剛性床構造において、１は構造用合板類としての構造用合板であり、該構造用合板１は、その側縁部下面側に、集成材などからなる木梁２と、溝形鋼からなる鋼梁３とを組み合わせて一体化した複合梁４が、木梁２を外側に位置させるようにして備えられ、構造用合板１が該複合梁４の木梁２に釘５あるいはビス等で接合されており、隣り合う構造用合板１，１の隣り合う側縁部の下面側の複合梁４，４同士がボルト６で一体的に緊結されて、大複合梁７を形成している。なお、構造用合板類の語は、木あるいは木質の各種水平剛性面材を意味する概念である。
【００２１】
この床構造では、構造用合板１で水平面剛性を確保することができ、しかも、梁として、木梁２と鋼梁３とを組み合わせて一体化した複合梁４が用いられているので、鋼梁３の使用により梁に充分な構造強度をもたせながら梁背を低くすることができ、梁は木梁２と鋼梁３との複合梁４からなって、構造用合板１は該複合梁４の木梁２に接合されているので、梁に対する構造用合板１の接合も容易に行うことができる。
【００２２】
加えて、隣り合う構造用合板１，１の隣り合う側縁部の下面側の複合梁４，４同士がボルト６で一体的に緊結されて、大複合梁７を形成する構造であるので、梁背を非常に低いものにすることができ、構造用合板１を用いた床構造でありながら、天井懐部を小さくしながら、梁を大スパンにして大空間を形成することも可能になる。
【００２３】
該床構造は、図１（ロ）に示すように、構造用合板１を現場で複合梁４の木梁２に接合して形成されてもよいが、図１（ハ）に示すように、構造用合板１の側縁部下面側に、木梁２と鋼梁３とを組み合わせた複合梁４が備えられ、構造用合板１が該複合梁４の木梁２に接合されている床パネル８を用い、該床パネル８を現場で施工することにより形成するのもよい。
【００２４】
このようなパネル式施工方法は、上記のような複合梁４の採用により、梁背を低くすることができ、それにより、梁４を工場などで予め構造用合板１に取り付けてパネル化することが可能になった結果であり、構造用合板１と木梁２の接合を工場で行うことができて、構造用合板１を用いるものでありながら、現場での施工を大幅に省力化することができる。
【００２５】
図２に示す第２実施形態の床構造は、隣り合う構造用合板１，１の上面高さ位置が異ならされており、それを実現するために、隣り合う構造用合板１，１の隣り合う複合梁４，４の木梁２，２の上面高さ位置が異ならされているものである。図２（イ）は、複合梁４の木梁２と鋼梁３との相対的高さ位置関係が、大複合梁７を構成する隣り合う複合梁４，４間で一致するようになされて、隣り合う構造用合板１，１の隣り合う複合梁４，４の鋼梁３，３のレベルが異ならされたもので、図２（ロ）は、複合梁４の木梁２と鋼梁３との相対的高さ位置関係が、大複合梁７を構成する隣り合う複合梁４，４間で異ならされて、隣り合う複合梁４，４の鋼梁３，３のレベルが一致するようになされている。
【００２６】
このように、大複合梁７を構成する隣り合う複合梁４，４の木梁２，２の上面高さ位置を異ならせても、大複合梁７の全体としての構造強度が低下することはなく、また、大複合梁７における木梁２，２の上面高さ位置を異ならせるだけで、隣り合う構造用合板１，１の上面高さ位置を異ならせることができて、床面の高さ位置を互いに異ならせたものにすることを、構造強度を低下させることなく、施工容易に実現することができる。また、隣り合う構造用合板１，１の上面高さ位置を互いに異ならせても、構造用合板１，１が平面方向に互いに離間してしまうこともなく、大複合梁７の部分に対する耐火被覆の必要もない。
【００２７】
特に、図２（イ）の構造では、複合梁４内における木梁２と鋼梁３の相対的高さ位置関係を一致させることができて、構造用合板１をパネル化する場合に、パネルの製作を容易にすることができ、また、図２（ロ）の構造では、大複合梁７を構成する隣り合う複合梁４，４において鋼梁３，３のレベルが一致することで、他との取り合い関係の形成を容易にすることができる。
【００２８】
図３（イ）（ロ）に示す第３実施形態の床構造は、複合梁４を構成する鋼梁３の上面が木梁２の上面よりも低位置に備えられ、構造用合板１の下面側に、構造用合板以外の鋼梁容易取付け性を備えた高剛性面材９が鋼梁３に支承されて取り付けられているものである。なお、高剛性面材９としては、例えば、合板、石膏ボード、ＡＬＣ、ＰＣ板、窯業材、ハニカム構造の面材などが用いられ、曲げ剛性（ヤング率）の高い材を用いるのが好ましい。
【００２９】
この床構造では、構造用合板１と高剛性面材９とにより、ＡＬＣ板やＰＣ板等の重量面材に頼らずに、高い床衝撃音遮断性能を確保することが可能になり、しかも、床レベルを高くする必要もなく、高剛性面材９と複合梁４の鋼梁３との接合も容易に行うことができる。また、歩行時等の振動も鉄骨造に比べてよく減衰することができ、隣り合う構造用合板１，１の複合梁４，４の木梁２，２間に制振材１０を設ける場合は、床衝撃音遮断性能や床振動減衰性能を向上することができる。
【００３０】
以上に、本発明の実施形態を示したが、本発明はこれに限られるものではなく、発明思想を逸脱しない範囲で各種の変更が可能である。例えば、本発明では、複合梁を構成する木梁や鋼梁の種類や形態、木梁と鋼梁との配置関係に制限はない。
【図面の簡単な説明】
【００３１】
【図１】図（イ）は第１実施形態の高剛性床構造を示す断面正面図、図（ロ）は施工方法の一例を示す断面正面図、図（ハ）は施工方法の他の例を示す断面正面図である。
【図２】図（イ）及び図（ロ）はそれぞれ、第２実施形態の高剛性床構造を示す断面正面図である。
【図３】図（イ）は第３実施形態の高剛性床構造を示す断面正面図、図（ロ）は要部拡大断面正面図である。
【図４】従来例を示すもので、図（イ−１）及び（イ−２）は軽量鉄骨構造における床構造の平面図、断面正面図、図（ロ−１）及び図（ロ−２）は木構造における床構造の平面図、断面正面図である。
【図５】図（イ）〜図（ハ）はそれぞれ、従来の床構造を示す断面正面図である。
【符号の説明】
【００３２】
１…構造用合板
２…木梁
３…鋼梁
４…複合梁
５…釘
６…ボルト
７…大複合梁
８…床パネル
９…高剛性面材
【図１】
2006283421.tif 000003
【図２】
2006283421.tif 000004
【図３】
2006283421.tif 000005
【図４】
2006283421.tif 000006
【図５】
2006283421.tif 000007